【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
第１の周波数帯域内の無線リソース上でプライマリコンポーネントキャリアをサポートするプライマリセルおよび第２の周波数帯域内の無線リソース上でセカンダリコンポーネントキャリアをサポートするセカンダリセル上で、ネットワークインフラストラクチャ機器と通信するための無線通信システムにおける端末デバイスを動作させる方法であって、前記方法は、
前記セカンダリコンポーネントキャリア上で前記ネットワークインフラストラクチャ機器と前記端末デバイスとの間でデータを通信するために使用される送信リソースの割り当てを示す割り当てメッセージを、前記ネットワークインフラストラクチャ機器から受信することと、
前記データを通信するために使用される前記セカンダリコンポーネントキャリアに対する複数の構成設定のうちの選択された１つに関する指示を、前記割り当てメッセージに関連して前記ネットワークインフラストラクチャ機器から受信することと、
前記複数の構成設定のうちの前記選択された１つに従って動作する前記セカンダリコンポーネントキャリア上の前記割り当てられたリソースを使用して、前記ネットワークインフラストラクチャ機器から前記データを受信することと、
前記セカンダリコンポーネントキャリア上で前記ネットワークインフラストラクチャ機器と前記端末デバイスとの間のさらなるデータを通信するために使用される送信リソースのさらなる割り当てを示すさらなる割り当てメッセージを前記ネットワークインフラストラクチャ機器から受信することと、
前記さらなるデータを通信するために使用される前記セカンダリコンポーネントキャリアに対する前記複数の構成設定のうちの他の選択された１つに関する更なる指示を、前記さらなる割り当てメッセージに関連して前記ネットワークインフラストラクチャ機器から受信することと、
前記複数の構成設定のうちの前記他の選択された１つに従って動作する前記セカンダリコンポーネントキャリア上の前記さらに割り当てられたリソースを使用して、前記ネットワークインフラストラクチャ機器から前記さらなるデータを受信することと、を含み、
前記指示は、前記無線通信システムの動作規格に従って確立された可能性がある構成設定のテーブルにおける項目に対するポインタを含む、方法。
【請求項２】
前記割り当てメッセージは、前記データを通信するために使用される前記セカンダリコンポーネントキャリアに対する前記複数の構成設定のうちの前記選択された１つに関する前記指示を含む、請求項１に記載の方法。
【請求項３】
前記セカンダリコンポーネントキャリアに対する前記複数の構成設定のうちの前記選択された１つに関する前記指示は、前記関連する割り当てメッセージに固有である、請求項１に記載の方法。
【請求項４】
前記複数の構成設定のうちの前記選択された１つに関する指示は、前記セカンダリコンポーネントキャリア上で前記ネットワークインフラストラクチャ機器と前記端末デバイスとの間でデータを通信するために使用される送信リソースの割り当てを示す複数の割り当てメッセージに関連する、請求項１に記載の方法。
【請求項５】
前記複数の構成設定の前記選択された１つに関する前記指示は、レイヤ１シグナリングを使用して、前記端末デバイスによって前記ネットワークインフラストラクチャ機器から受信される、請求項１に記載の方法。
【請求項６】
前記ネットワークインフラストラクチャ機器と前記端末デバイスとの間の通信は、複数の時間ブロックを含む無線フレーム構造によって行われ、前記セカンダリコンポーネントキャリアに対する前記複数の構成設定のうちの前記選択された１つは、１以上の時間ブロックに対して有効である、請求項１に記載の方法。
【請求項７】
前記複数の構成設定のうちの前記選択された１つに関する前記指示は、前記指示が関連付けられている前記割り当てメッセージと同じ時間ブロックで受信される、請求項６に記載の方法。
【請求項８】
前記複数の構成設定のうちの前記選択された１つに関する前記指示は、前記指示が関連付けられる前記割り当てメッセージを含む時間ブロックの前の時間ブロックで受信される、請求項６に記載の方法。
【請求項９】
前記割り当てメッセージおよび前記セカンダリコンポーネントキャリアに対する前記複数の構成設定のうちの選択された１つに関する前記指示は、前記第１の周波数帯域の送信リソースを使用して受信される、請求項１に記載の方法。
【請求項１０】
前記第１の周波数帯域の送信リソースを使用して、前記セカンダリコンポーネントキャリアに対する複数の構成設定の指示が受信される、請求項１に記載の方法。
【請求項１１】
前記セカンダリコンポーネントキャリアに対する複数の構成設定の前記指示は、無線リソース制御、ＲＲＣ、シグナリングを使用して受信される、請求項１に記載の方法。
【請求項１２】
前記セカンダリコンポーネントキャリアに対する前記構成設定に対応する、前記セカンダリコンポーネントキャリアの異なる構成に対するチャネル品質測定を実行することと、
前記チャネル品質測定の指示を前記ネットワークインフラストラクチャ機器に伝達することと、をさらに含む、請求項１に記載の方法。
【請求項１３】
前記第２の周波数帯域は、前記無線通信システムの一部ではない無線通信デバイスによって共有される無線リソースを含む、請求項１に記載の方法。
【請求項１４】
前記第２の周波数帯域における無線使用の測定を行うことと、前記セカンダリコンポーネントキャリアに対する複数の構成設定の前記指示を前記ネットワークインフラストラクチャ機器から受信する前に、前記第２の周波数帯域における無線使用の前記測定の指示を前記ネットワークインフラストラクチャ機器に送信することと、をさらに含む、請求項１に記載の方法。
【請求項１５】
前記第２の周波数帯域における無線使用の前記測定の前記指示は、前記第１の周波数帯域の送信リソースを使用して前記ネットワークインフラストラクチャ機器に送信される、請求項１４に記載の方法。
【請求項１６】
前記ネットワークインフラストラクチャ機器からの通信は、第１の無線通信動作規格に従って動作する受信機を有する前記端末デバイスによって受信され、前記第２の周波数帯域における無線使用の前記測定は、前記第１の無線通信動作規格とは異なる第２の無線通信動作規格に従って動作する受信機によって行われる、請求項１４に記載の方法。
【請求項１７】
前記第１の無線通信動作規格はセルラー通信動作規格であり、前記第２の無線通信動作規格は非セルラー通信動作規格である、請求項１６に記載の方法。
【請求項１８】
前記第２の周波数帯域における無線使用の前記測定の前記指示は、無線リソース制御、ＲＲＣ、シグナリングを使用して前記ネットワークインフラストラクチャ機器に送信される、請求項１４に記載の方法。
【請求項１９】
前記セカンダリコンポーネントキャリアに対する前記構成設定は、前記セカンダリコンポーネントキャリアのために使用される周波数および／または時間リソースの指示を含む、請求項１に記載の方法。
【請求項２０】
第１の周波数帯域内の無線リソース上でプライマリコンポーネントキャリアをサポートするプライマリセルおよび第２の周波数帯域内の無線リソース上でセカンダリコンポーネントキャリアをサポートするセカンダリセル上で、ネットワークインフラストラクチャ機器と通信するための無線通信システムで使用される端末デバイスであって、前記端末デバイスは、
前記セカンダリコンポーネントキャリア上で前記ネットワークインフラストラクチャ機器と前記端末デバイスとの間でデータを通信するために使用される送信リソースの割り当てを示す割り当てメッセージを、前記ネットワークインフラストラクチャ機器から受信し、
前記データを通信するために使用される前記セカンダリコンポーネントキャリアに対する複数の構成設定のうちの選択された１つに関する指示を、前記割り当てメッセージに関連して前記ネットワークインフラストラクチャ機器から受信し、
前記複数の構成設定のうちの前記選択された１つに従って動作する前記セカンダリコンポーネントキャリア上の前記割り当てられたリソースを使用して、前記ネットワークインフラストラクチャ機器から前記データを受信し、
前記セカンダリコンポーネントキャリア上で前記ネットワークインフラストラクチャ機器と前記端末デバイスとの間のさらなるデータを通信するために使用される送信リソースのさらなる割り当てを示すさらなる割り当てメッセージを前記ネットワークインフラストラクチャ機器から受信し、
前記さらなるデータを通信するために使用される前記セカンダリコンポーネントキャリアに対する前記複数の構成設定のうちの他の選択された１つに関する更なる指示を、前記さらなる割り当てメッセージに関連して前記ネットワークインフラストラクチャ機器から受信し、
前記複数の構成設定のうちの前記他の選択された１つに従って動作する前記セカンダリコンポーネントキャリア上の前記さらに割り当てられたリソースを使用して、前記ネットワークインフラストラクチャ機器から前記さらなるデータを受信するように、協働して動作するコントローラユニットとトランシーバユニットとを含み、
前記指示は、前記無線通信システムの動作規格に従って確立された可能性がある構成設定のテーブルにおける項目に対するポインタを含む、端末デバイス。
【請求項２１】
第１の周波数帯域内の無線リソース上でプライマリコンポーネントキャリアをサポートするプライマリセルおよび第２の周波数帯域内の無線リソース上でセカンダリコンポーネントキャリアをサポートするセカンダリセル上で、ネットワークインフラストラクチャ機器と通信するための無線通信システムで使用される端末デバイスのための回路であって、前記回路は、
前記セカンダリコンポーネントキャリア上で前記ネットワークインフラストラクチャ機器と前記端末デバイスとの間でデータを通信するために使用される送信リソースの割り当てを示す割り当てメッセージを、前記ネットワークインフラストラクチャ機器から受信し、
前記データを通信するために使用される前記セカンダリコンポーネントキャリアに対する複数の構成設定のうちの選択された１つに関する指示を、前記割り当てメッセージに関連して前記ネットワークインフラストラクチャ機器から受信し、
前記複数の構成設定のうちの前記選択された１つに従って動作する前記セカンダリコンポーネントキャリア上の前記割り当てられたリソースを使用して、前記ネットワークインフラストラクチャ機器から前記データを受信し、
前記セカンダリコンポーネントキャリア上で前記ネットワークインフラストラクチャ機器と前記端末デバイスとの間のさらなるデータを通信するために使用される送信リソースのさらなる割り当てを示すさらなる割り当てメッセージを前記ネットワークインフラストラクチャ機器から受信し、
前記さらなるデータを通信するために使用される前記セカンダリコンポーネントキャリアに対する前記複数の構成設定のうちの他の選択された１つに関する更なる指示を、前記さらなる割り当てメッセージに関連して前記ネットワークインフラストラクチャ機器から受信し、
前記複数の構成設定のうちの前記他の選択された１つに従って動作する前記セカンダリコンポーネントキャリア上の前記さらに割り当てられたリソースを使用して、前記ネットワークインフラストラクチャ機器から前記さらなるデータを受信するように、協働して動作するコントローラエレメントとトランシーバエレメントとを含み、
前記指示は、前記無線通信システムの動作規格に従って確立された可能性がある構成設定のテーブルにおける項目に対するポインタを含む、回路。
【請求項２２】
第１の周波数帯域内の無線リソース上でプライマリコンポーネントキャリアをサポートするプライマリセルおよび第２の周波数帯域内の無線リソース上でセカンダリコンポーネントキャリアをサポートするセカンダリセル上で端末デバイスと通信するための無線通信システムにおいてネットワークインフラストラクチャ機器を動作させる方法であって、前記方法は、
前記セカンダリコンポーネントキャリアに対する複数の構成設定の指示を前記端末デバイスに送信することと、
前記セカンダリコンポーネントキャリア上で前記端末デバイスにデータを通信するために使用される送信リソースの割り当てを示す割り当てメッセージを前記端末デバイスに送信することと、
前記データを通信するために使用される前記セカンダリコンポーネントキャリアに対する前記複数の構成設定のうちの選択された１つに関する指示を、前記割り当てメッセージに関連付けて前記端末デバイスに送信することと、
前記複数の構成設定のうちの前記選択された１つに従って動作する前記セカンダリコンポーネントキャリア上の前記割り当てられたリソースを使用して、前記端末デバイスに前記データを送信することと、を含む、方法。
【請求項２３】
前記第２の周波数帯域における無線使用の指示を取得することと、前記第２の周波数帯域における無線使用の前記指示に基づいて、前記セカンダリコンポーネントキャリアに対する前記複数の構成設定を確立することと、をさらに含む、請求項２２に記載の方法。
【請求項２４】
前記第２の周波数帯域における無線使用の前記指示は、前記ネットワークインフラストラクチャ機器によって行われる前記第２の周波数帯域における無線使用の測定および／または前記端末デバイスによって行われる前記第２の周波数帯域における無線使用の測定から取得され、前記ネットワークインフラストラクチャ機器に報告される、および／または前記第２の周波数帯域における無線使用の前記指示は、前記無線通信システムで動作する他の端末デバイスによって行われる前記第２の周波数帯域における無線使用の測定から取得され、前記ネットワークインフラストラクチャ機器に報告される、請求項２３に記載の方法。
【請求項２５】
前記セカンダリコンポーネントキャリアに対する前記構成設定に対応する、前記セカンダリコンポーネントキャリアの異なる構成に対して前記端末デバイスによって行われるチャネル品質測定の指示を前記端末デバイスから受信することと、
前記セカンダリコンポーネントキャリアの前記異なる構成に対するチャネル品質の測定の前記指示に基づいて、前記データを通信するために使用される前記セカンダリコンポーネントキャリアの前記複数の構成設定のうちの前記選択された１つを判定することと、をさらに含む、請求項２２に記載の方法。
【請求項２６】
第１の周波数帯域内の無線リソース上でプライマリコンポーネントキャリアをサポートするプライマリセルおよび第２の周波数帯域内の無線リソース上でセカンダリコンポーネントキャリアをサポートするセカンダリセル上で端末デバイスと通信するための無線通信システムにおいて使用するためのネットワークインフラストラクチャ機器であって、前記ネットワークインフラストラクチャ機器は、
前記セカンダリコンポーネントキャリアに対する複数の構成設定の指示を前記端末デバイスに送信し、
前記セカンダリコンポーネントキャリア上で前記端末デバイスにデータを通信するために使用される送信リソースの割り当てを示す割り当てメッセージを前記端末デバイスに送信し、
前記データを通信するために使用される前記セカンダリコンポーネントキャリアに対する前記複数の構成設定のうちの選択された１つに関する指示を、前記割り当てメッセージに関連付けて前記端末デバイスに送信し、
前記複数の構成設定のうちの前記選択された１つに従って動作する前記セカンダリコンポーネントキャリア上の前記割り当てられたリソースを使用して、前記端末デバイスに前記データを送信するように、協働して動作するコントローラユニットとトランシーバユニットとを含む、ネットワークインフラストラクチャ機器。
【請求項２７】
第１の周波数帯域内の無線リソース上でプライマリコンポーネントキャリアをサポートするプライマリセルおよび第２の周波数帯域内の無線リソース上でセカンダリコンポーネントキャリアをサポートするセカンダリセル上で端末デバイスと通信するための無線通信システムにおいて使用するためのネットワークインフラストラクチャ機器のための回路であって、前記回路は、
前記セカンダリコンポーネントキャリアに対する複数の構成設定の指示を前記端末デバイスに送信し、
前記セカンダリコンポーネントキャリア上で前記端末デバイスにデータを通信するために使用される送信リソースの割り当てを示す割り当てメッセージを前記端末デバイスに送信し、
前記データを通信するために使用される前記セカンダリコンポーネントキャリアに対する前記複数の構成設定のうちの選択された１つに関する指示を、前記割り当てメッセージに関連付けて前記端末デバイスに送信し、
前記複数の構成設定のうちの前記選択された１つに従って動作する前記セカンダリコンポーネントキャリア上の前記割り当てられたリソースを使用して、前記端末デバイスに前記データを送信するように、協働して動作するコントローラエレメントとトランシーバエレメントとを含む、回路。